(57)【特許請求の範囲】
【請求項１】
ボタン電話装置およびＰＢＸ等を含む電話装置に収容接続される電話機制御部と発光ダイオードを用いた表示部とを備えた機能電話機であって、該表示部は、各々が複数ｍの入力端と複数ｍの出力端とを有する複数ｎのゲートＩＣ回路と、該複数ｎのゲートＩＣ回路の各出力側の前記複数ｍの出力端のうちの所望の出力端に各制御入力側がそれぞれ接続された複数の制御スイッチ手段と、該複数の制御スイッチ手段の各出力側と電源間にそれぞれ配設された複数の発光ダイオードとを含んで構成され、前記複数の制御スイッチ手段の出力端は、それぞれ駆動すべき各発光ダイオードの一端に接続され、各発光ダイオードの他端は電源に接続されており、該電話機制御部は、前記表示部内の前記複数ｎのゲートＩＣ回路の各々における前記複数ｍの入力端にそれぞれ接続される複数ｍの第１の出力ポートと、該複数ｎのゲートＩＣ回路の各々にそれぞれ接続される複数ｎの第２の出力ポートと、前記複数ｍの第１の出力ポートの内の少なくとも一つと該複数ｎの第２の出力ポートの内の少なくとも一つとを選択する選択情報を受け入れるための入力端とを備え、 該入力端に入力される該選択情報に対応して該複数ｍの第１の出力ポートの内の少なくとも一つに第一の制御信号を出力し、該複数ｎの第２の出力ポートの内の少なくとも一つに第二の制御信号を出力するように構成され、前記選択情報が前記電話機制御部の前記入力端に入力されたとき、該電話機制御部の前記複数ｍの第１の出力ポートの内の少なくとも一つに前記第一の制御信号が伝達され、かつ前記複数ｎの第２の出力ポートの内の少なくとも一つに前記第二の制御信号が伝達され、該第二の制御信号が伝達された前記第２の出力ポートに接続された前記ゲートＩＣ回路が作動して、該作動した当該ゲートＩＣ回路の前記複数ｍの出力側に前記伝達された第一の制御信号に対応する表示制御信号を出力して該表示制御信号が出力された制御入力に接続された前記制御スイッチ手段を作動せしめ、該作動された該制御スイッチ手段に接続された前記発光ダイオードが駆動されるように構成された機能電話機におけるＬＥＤ駆動方式。
【請求項２】
前記電話機制御部の入力端に伝達される前記選択情報は、前記ボタン電話装置の主装置から各ボタン電話機へ伝送されるシステムデータ情報であることを特徴とする請求項１に記載の機能電話機におけるＬＥＤ駆動方式。
【請求項３】
前記電話機制御部の入力端に伝達される前記選択情報は、前記機能電話機の局線ボタンの操作により出力される局線選択情報であることを特徴とする請求項１に記載の機能電話機におけるＬＥＤ駆動方式。
【請求項４】
前記電話機制御部は、前記複数ｎのゲートＩＣ回路を順次作動させるように前記第二の制御信号を出力し、当該作動させられたゲートＩＣ回路の出力側に配置された前記発光ダイオードが順次駆動されるように前記第一の制御信号を出力するダイナミック点灯制御をするように構成されていることを特徴とする請求項１，２，３のいずれかに記載の機能電話機におけるＬＥＤ駆動方式。
【発明の詳細な説明】
【０００１】
【発明の属する技術分野】
本発明は、ボタン電話装置および構内交換電話装置（ＰＢＸ）等の電話装置に関し、更に詳述すれば電話装置に収容される機能電話機に用いられている表示器である発光ダイオードＬＥＤの駆動方式に関する。
【０００２】
【従来の技術】
従来から、ボタン電話装置および構内交換電話装置（以下、ＰＢＸと称呼する）等の電話装置は電子化され、当該装置内に制御回路としてマイクロコンピュータ（ＣＰＵ）が組み込まれ、各種の制御を行うように構成されている。ボタン電話装置は、周知のように、ボタン電話主装置（以下、主装置と呼称する）と、これにケーブル等を介して接続された複数のボタン電話機とを含んで構成され、ＰＢＸは複数の一般電話機と専用多機能電話機を含んで構成される。例えばボタン電話装置の制御回路ＣＰＵには、動作手順（プログラム）を提供する読出専用メモリＲＯＭと、必要なデータを格納したり仕事領域（ワークエリア）を定める等の機能を有するランダムアクセスメモリＲＡＭとが用いられる。また、主装置とボタン電話機との間で各種の情報がデータ伝送され送受信される。このデータは、概して以下に示すように、
（１）システムの基本となる動作手順が固定的に定められた制御データ（制御プ
ログラムデータ）、
（２）着信時の鳴音や表示を行う電話機の動作状態の設定、収容局線のダイヤル方式（ＤＰ／ＰＢ）の設定等の如きシステム機能に基づきシステム毎に固定化されるシステム共通データ（システムデータ）、
（３）短縮ダイヤルの番号指定（＊０１など）と該番号に対応するダイヤル情報設定等の如く各ユーザの使用条件や設置場所、使用方法等に対応して個別に定められるシステム個別データ（ユーザデータ）、
に３区分され、それぞれ伝送されて送受信され各種機能動作が行われる。ＰＢＸ
においてもほぼ同様にして機能動作が行われる。
【０００３】
前述したように、これらのボタン電話装置およびＰＢＸ等の電話装置には、回線使用状況を表示する表示器が設けられた電話機が多数収容されている。ボタン電話装置にあっては、必要数のボタン電話機が配備され、ＰＢＸにあっては、専用の多機能電話機が配備される。これらの電話装置にあっては、その収容局線数や収容内線数に対応してそれぞれ機種が異なり、例えばボタン電話装置にあっては２回線用，４回線用，８回線用，１２回線用，１６回線用，２４回線用，３２回線用，３６回線用，４８回線用等々数多くの機種が存在する。これらに対応してそれぞれ収容接続されるボタン電話機の機種も異なっている。ＰＢＸの専用多機能電話機も同様である。これらのボタン電話機および多機能電話機（以下、これらを総称して機能電話機と呼称する）における回線使用状況を表示する表示器としては発光ダイオード（ＬＥＤ）が採用されており、このＬＥＤは電話装置における収容局線数や内線数に対応する数が配置されている。内線用のＬＥＤの場合も同様であり、局線表示用とは別に設けられている。
【０００４】
従来、これらの発光ダイオードＬＥＤを発信時や着信時に点灯させる駆動方法としては、例えばボタン電話装置を参照して説明すると、システムデータとして主装置から各ボタン電話機にデータ伝送され、表示部の発光ダイオードＬＥＤを点滅または点灯させるように構成されている。すなわち、従来のボタン電話機に設けられている表示器ＬＥＤの駆動手段は、図５および図６に示すような構成になっている。図５は、局線４回線用のボタン電話機におけるＬＥＤ駆動手段を示すブロツク構成図、図６は、図５に示すＬＥＤ駆動手段を局線１２回線用のボタン電話機に拡張した場合におけるＬＥＤ駆動手段を示すブロツク構成図である。図５および図６において、１１はマイクロコンピュータ（ＣＰＵ）で構成される電話機制御回路ＫＰＵであり、汎用入出力ポートＩ／Ｏ＃１乃至＃７およびＩ／Ｏ＃Ａ乃至＃Ｈを備えている。１２，２２は汎用入出力ポートＩ／Ｏ＃１乃至＃４に接続されて着信表示や機能表示等を行うＬＥＤ表示部であり、Ｑ２１乃至Ｑ３２からなる制御トランジスタ、ＬＥＤ２１乃至ＬＥＤ３２からなる発光ダイオードＬＥＤを含んで構成される。１３は汎用入出力ポートＩ／Ｏ＃Ａ，＃Ｂに接続されて時刻／番号表示や文字等を液晶表示器（ＬＣＤ）にデスプレイ表示する表示部（ＤＩＰ）、１４は汎用入出力ポートＩ／Ｏ＃Ｃ乃至＃Ｆに接続されて、ダイヤル，局線ボタン，機能ボタン等を収容配置するキーボード部（ＫＥＹ）、１５は汎用入出力ポートＩ／Ｏ＃Ｇ，＃Ｈに接続されハンドセツト，スピーカ，マイクを管轄する音声処理部（ＫＳＬ）である。１６は主装置である。
【０００５】
図５において、いま収容されている局線ＣＯ−１に外部から着信があると、その着信信号は主装置（ＭＥ）１６に入力され、その信号情報は主装置（ＭＥ）１６内の制御回路ＣＰＵに取り込まれ、そこで鳴音情報、表示情報等を含むシステムデータとして構成されて各ボタン電話機に伝送される。そのデータは各ボタン電話機に設けられている電話機制御回路（ＫＰＵ）１１に取り込まれ、局線ＣＯ−１に対応する汎用入出力ポートＩ／Ｏ＃１にＬＥＤ制御信号Ｓ１を出力する。これにより制御トランジスタＱ２１がオンし、発光ダイオードＬＥＤ２１が点灯して局線ＣＯ−１に着信があったことを表示し、使用者に知らしめる。同様にして収容されている局線ＣＯ−４に外部から着信があると、その着信信号は主装置ＭＥに入力され、その信号情報は主装置ＭＥ内の制御回路ＣＰＵに取り込まれ、そこで鳴音情報、表示情報等を含むシステムデータとして構成されて各ボタン電話機に伝送される。そのデータは各ボタン電話機に設けられている電話機制御回路（ＫＰＵ）１１に取り込まれ、局線ＣＯ−４に対応する汎用入出力ポートＩ／Ｏ＃４にＬＥＤ制御信号Ｓ４を出力する。これにより制御トランジスタＱ２４がオンし、発光ダイオードＬＥＤ２４が点灯して局線ＣＯ−４に着信があったことを表示する。このように従来の発光ダイオードＬＥＤの点灯方法は、制御が簡易であるため、ＣＰＵの汎用入出力ポートＩ／Ｏに１つのＬＥＤを割り付けてダイナミック点灯させている。この図５の事例における発光ダイオードＬＥＤのダイナミック点灯状況を表すタイミングチャートを図７に示す。図７において、電話機制御回路（ＫＰＵ）１１の汎用入出力ポートＩ／Ｏ＃１のポートと発光ダイオードＬＥＤ２１は、１対１の関係にあるため、制御動作は簡易であり、当該ポートが一定時間オンになれば図示のようにＬＥＤ２１が点灯する構成となっている。汎用入出力ポートＩ／Ｏ＃２以降のポートも同様である。
【０００６】
このように、図５に示す従来の表示器駆動手段の構成では、電話機制御回路（ＫＰＵ）１１の汎用入出力ポートＩ／Ｏ＃１乃至＃４と、ＬＥＤ表示部１２の制御トランジスタＱ２１乃至Ｑ２４および発光ダイオードＬＥＤ２１乃至２４とが１対１で構成されているため、収容局線数が４回線以下の小型のボタン電話装置としては、電話機制御回路（ＫＰＵ）１１用の汎用入出力ポートＩ／Ｏの数が少ない（図示では７ポート）安価なマイクロコンピュータ（ＣＰＵ）を用いて構成することが可能である。
【０００７】
【発明が解決しようとする課題】
しかし、この図５に示す従来の表示器駆動手段の構成では、発光ダイオードＬＥＤの数を増やし収容局線数を増加させて例えば８回線収容することができるように収容回線容量を拡張しようとしても、ＬＥＤの増加分だけ汎用入出力ポートＩ／Ｏも８ポート必要であるため、図示の電話機制御回路（ＫＰＵ）１１のマイクロコンピュータでは汎用入出力ポートＩ／Ｏが７ポートであり１ポート不足することになる。この場合には、そのまま使用することができず、更に多くのＩ／Ｏポートを有する高価なマイクロコンピュータを用いた電話機性回路（ＫＰＵ）１１に置き換えなければならないという問題が生ずる。
【０００８】
また、図６のように、図５に示すＬＥＤ駆動手段を局線１２回線用のボタン電話機に拡張しようとした場合には、１２ポートが必要であってＩ／Ｏポートが５ポート不足するため、ＬＥＤ２８乃至ＬＥＤ３２を接続することができない。従って、４回線用と１２回線用のボタン電話機相互間の如く、機種相互間において搭載するマイクロコンピュータ（ＣＰＵ）の共通化が図れないという問題がある。
【０００９】
さらに、基本的には、１つの汎用入出力ポートＩ／Ｏで１つのＬＥＤをダイナミック点灯させる構成では、ＬＥＤの増加分だけ機種毎にＩ／Ｏポートが必要になるため、機種間でハードウエアを共通化する場合に各種の制約が生じ、Ｉ／Ｏポートを効率的に使用することができない。そのため結果的に機能ボタンやＬＣＤ等の制御のための汎用入出力ポートＩ／Ｏが不足し、さらにポート数の多い高価なマイクロコンピュータ（ＣＰＵ）を用いるか、汎用入出力ポート拡張用のＩＣを別個に使用しなければならないという欠点を有する。
【００１０】
一方、始めから汎用入出力ポートＩ／Ｏの数が多い高価なマイクロコンピュータ（ＣＰＵ）を用いて余裕を持つように構成しておくことも可能であるが、数十台から数百台ものボタン電話機が収容接続され使用されるこの種電話装置にあっては、著しく原価が高騰してしまうため採用することができない。
【００１１】
このように、例えば着信時等に、電話装置に収容接続される機能電話機における発光ダイオードＬＥＤを点灯させるための駆動手段にあっては、従来の技術をでは、電話機制御回路ＫＰＵに用いるマイクロコンピュータ（ＣＰＵ）を、汎用入出力ポートＩ／Ｏの少ない安価なＬＳＩ製品で構成し、かつ機種間で共通化して使用したいという技術的，経済的な客観的要請に対応して、例えば大型機種間、中型機種間および小型機種間というように、ある程度の機種間で共通して使用できる構成でＬＥＤ駆動手段を実現することができない欠点がある。
【００１２】
本発明の目的は、電話装置に収容接続される機能電話機において、機種相互間で共通化して使用することができ、発光ダイオードＬＥＤの点灯駆動系全体として簡易で安価に実現しうる機能電話機におけるＬＥＤの駆動方式を提供することにある。
【００１３】
【課題を解決するための手段】
この目的を達成するために、本発明による機能電話機におけるＬＥＤ駆動方式は、ボタン電話装置およびＰＢＸ等を含む電話装置に収容接続される電話機制御部と発光ダイオードを用いた表示部とを備えた機能電話機であって、
該表示部は、各々が複数ｍの入力端と複数ｍの出力端とを有する複数ｎのゲートＩＣ回路と、該複数ｎのゲートＩＣ回路の各出力側の前記複数ｍの出力端のうちの所望の出力端に各制御入力側がそれぞれ接続された複数の制御スイッチ手段と、該複数の制御スイッチ手段の各出力側と電源間にそれぞれ配設された複数の発光ダイオードとを含んで構成され、
該電話機制御部は、前記表示部内の前記複数ｎのゲートＩＣ回路の各々における前記複数ｍの入力端にそれぞれ接続される複数ｍの第１の出力ポートと、該複数ｎのゲートＩＣ回路の各々にそれぞれ接続される複数ｎの第２の出力ポートと、前記複数ｍの第１の出力ポートの内の少なくとも一つと該複数ｎの第２の出力ポートの内の少なくとも一つとを選択する選択情報を受け入れるための入力端とを備え、 該入力端に入力される該選択情報に対応して該複数ｍの第１の出力ポートの内の少なくとも一つに第一の制御信号を出力し、該複数ｎの第２の出力ポートの内の少なくとも一つに第二の制御信号を出力するように構成され、
前記選択情報が前記電話機制御部の前記入力端に入力されたとき、
該電話機制御部の前記複数ｍの第１の出力ボートの内の少なくとも一つに前記第一の制御信号が伝達され、かつ前記複数ｎの第２の出力ボートの内の少なくとも一つに前記第二の制御信号が伝達され、該第二の制御信号が伝達された前記第２の出力ボートに接続された前記ゲートＩＣ回路が作動して、該作動した当該ゲートＩＣ回路の前記複数ｍの出力側に前記伝達された第一の制御信号に対応する表示制御信号を出力して該表示制御信号が出力された前記制御入力に接続された前記制御スイッチ手段を作動せしめ、該作動された該制御スイッチ手段に接続された前記発光ダイオードが駆動されるように構成されている。
【００１４】
【発明の実施の形態】
以下、まず、本発明を適用するボタン電話装置を参照図面に基づいて詳細に説明する。図１は本発明のボタン電話装置の一実施例である全体構成を示すブロツク構成図、図２は図１のボタン電話装置における主装置およびボタン電話機間の１フレームにおけるデータ伝送フォーマットを示す図である。図３は本発明の具体的な一実施例を示す局線１２回線用のボタン電話機におけるＬＥＤ駆動手段を示すブロツク構成図、図４は本発明の具体的な一実施例を示す図３における発光ダイオードＬＥＤの点灯状況を表すタイムチャートである。
【００１５】
ＭＥはボタン電話主装置、ＫＴ−１乃至ＫＴ−ｍはボタン電話機、ＣＯ−１乃至ＣＯ−ｎは局線であり、ＬＮ−１１，ＬＮ−２１，ＬＮ−１ｍ，ＬＮ−２ｍはボタン電話主装置ＭＥとボタン電話機ＫＴ−１乃至ＫＴ−ｍとを接続するケーブルである。なお、この図では、ボタン電話機ＫＴ−ｍの内部構成は、ボタン電話機ＫＴ−１のそれと同じであるので図示を省略している。
【００１６】
主装置ＭＥは、局線ＣＯに接続されている局線回路ＣＯＴと、局線ＣＯやダイヤルトーン、局線着信音等を発生する音源回路ＴＯＮＥをボタン電話機ＫＴに接続する機能を有する通話路ネットワークＳＷと、該通話路ネットワークＳＷを通話路制御回路ＳＷＣを介して接続したり、局線回路ＣＯＴから着信情報を取り込んだり、あるいは該局線回路ＣＯＴの動作を制御したりする制御部ＣＰＵと、該制御部ＣＰＵに動作手順（プログラム）を提供する読出専用メモリＲＯＭと、  必要なデータが記録されているランダムアクセスメモリＲＡＭと、各ボタン電話機ＫＴと信号の授受を行うために用いられる送受信回路ＸＲと、複数個のトランスＴ等を含んで構成されている。また、ＰＷは主装置ＭＥの電源回路であり、電源スイッチＳＫをオンすることによって全てのボタン電話機ＫＴに電力が供給される。
【００１７】
ボタン電話機ＫＴには、回線選択キーやテンキーおよび「＊」，「＃」などのダイヤルキー接点を含むキーボード部ＫＥＹ、局線や内線等の使用状態などを示す表示器としての発光ダイオードを用いたＬＥＤ表示部、フックスイッチＨＳ、液晶表示器ＬＣＤからなる表示部ＤＩＰ、ボタン電話機ＫＴを制御する電話機制御部ＫＰＵ、読出専用メモリＲＯＭ、ランダムアクセスメモリＲＡＭ、主装置ＭＥとの信号の授受を行う送受信回路ＫＸＲ、通話回路を含む音声処理部ＫＳＬ、電源回路ＫＰＷ、トランスＴＫ−１，ＴＫ−２、スピーカＳＰ等を含んで構成されている。
【００１８】
主装置ＭＥの制御部ＣＰＵは、読出専用メモリＲＯＭに予め記憶されたプログラムにより動作し、ボタン電話機ＫＴの電話機制御部ＫＰＵは、読出専用メモリＫＯＭに予め記憶されたプログラムによりそれぞれ動作している。また、制御部ＣＰＵは、局線回路ＣＯＴ−１乃至ＣＯＴ−ｎ中の各着信検出回路ＩＮＣ（図示を省略した）を順次に参照することにより、どの局線ＣＯ−ｉに着信があったかを常時監視している。
【００１９】
まず、ボタン電話装置の主要動作について説明する。始めに局線着信応答通話動作について説明する。
一般着信モードで動作中に、いずれかの局線ＣＯ−ｉ着信があると、該当する局線回路ＣＯＴ−ｉの着信検出回路ＩＮＣ−ｉが着信情報を検出し、この情報が制御部ＣＰＵへ送信される。制御部ＣＰＵは、予め鳴動指定されたボタン電話機例えばＫＴ−１をランダムアクセスメモリＲＡＭから読み出すとともに、音源選択情報を読み出し、通話制御回路ＳＷＣを介して通話路ネットワークＳＷを制御し、音源回路ＴＯＮＥから対応する音色をボタン電話機ＫＴ−１に送信する。これにより、ボタン電話機ＫＴ−１側では、スピーカＳＰよりボタン電話機固有の局線着信音が放出される。同時に着信局線に対応するＬＥＤ表示部の発光ダイオードＬＥＤが点滅する。ボタン電話機ＫＴ−１側でキーボード部ＫＥＹを操作して着信対応の局線ボタンを押し、ハンドセツトを上げて応答すると、ボタン電話機ＫＴ−１の電話機制御部ＫＰＵが局線選択情報とフツクスイツチＨＳのオン情報を検出し、送受信回路ＫＸＲ、トランスＴＫ−２、トランスＴ−２１、および主装置ＭＥ側の送受信回路ＸＲを介して、応答信号を制御部ＣＰＵに送信する。制御部ＣＰＵはこれに応答して音源回路ＴＯＮＥを通話路ネットワークＳＷから切り離すとともに、局線回路ＣＯＴ−１にループを形成させ、次いで局線ＣＯ−１を、局線回路ＣＯＴ−１、通話路ネットワークＳＷおよびトランスＴ−１１を介して、鳴動指定されたボタン電話機ＫＴ−１の音声処理部ＫＳＬの通話回路に接続させる。なお、ボタン電話機ＫＴ−１側のキーボード部ＫＥＹが操作され、着信対応の局線ボタンが押され、ハンドセツトが上げられると、着信局線に対応するＬＥＤ表示部の発光ダイオードＬＥＤが、点滅状態から点灯状態に移行する。このようにして局線回路ＣＯＴ−１とボタン電話機ＫＴ−１間の通話路が形成され、外部の相手先との局線通話が可能となる。
【００２０】
次に保留転送動作について説明する。
この状態で他のボタン電話機例えばＫＴ−ｍへ転送したい場合には、まず相手先に保留転送する旨伝えた後、ボタン電話機ＫＴ−１のキーボード部ＫＥＹに含まれる保留キーを操作すると、局線回路ＣＯＴ−１には局線ループを形成したままの状態で通話路ネットワークＳＷを経由して音源回路ＴＯＮＥが接続されるので、音源回路ＴＯＮＥより局線ＣＯ−１を介して保留音が送出され、外部の相手先は保留状態にあることを知り待機する。なお、保留キーが操作されると、着信局線に対応するＬＥＤ表示部の発光ダイオードＬＥＤが、点灯状態から、着信時とは異なる周期で点滅状態に移行する。次いでキーボード部ＫＥＹに含まれる内線補足キーを操作するとその情報は電話機制御部ＫＰＵから制御部ＣＰＵに伝達され、それにより通話路ネットワークＳＷが制御されて空内線が選択され該内線に音源回路ＴＯＮＥより内線発信音（内線ダイヤルトーン）がボタン電話機ＫＴ−１の音声処理部ＫＳＬの通話回路に伝達される。通話回路により内線発信音を確認して転送すべき内線の相手先の内線番号をダイヤルする。このダイヤル情報は主装置ＭＥ内の制御部ＣＰＵに伝達され、ＲＡＭに設定されているボタン電話機ＫＴ−ｍに対応するデータをアクセスし、通話路ネットワークＳＷを介して被呼ボタン電話機ＫＴ−ｍを選択してその内線ループに音源回路ＴＯＮＥから内線呼出音が送出される。ボタン電話機ＫＴ−ｍがキーボード部ＫＥＹを操作して内線着信対応の内線ボタンを押し、ハンドセツトを上げて応答すると、ボタン電話機ＫＴ−ｍの電話機制御部ＫＰＵが内線選択情報とフツクスイツチＨＳのオン情報を検出し、応答信号を主装置ＭＥの制御部ＣＰＵに送信する。制御部ＣＰＵはこれを受けて音源回路ＴＯＮＥを通話路ネットワークＳＷから切り離し、内線呼出を停止させるとともに、通話制御回路ＳＷＣを介してボタン電話機ＫＴ−１の音声処理部ＫＳＬの通話回路に被呼ボタン電話機ＫＴ−ｍの通話回路ＫＳＬを接続させる。
このようにして内線通話ループが形成され、ボタン電話機ＫＴ−１から被呼ボタン電話機ＫＴ−ｍに局線から電話がかかっている旨伝達する。被呼ボタン電話機ＫＴ−ｍがキーボード部ＫＥＹを操作して局線ＣＯ−１に対応する局線ボタンを押すと、その情報が制御部ＣＰＵに伝達されて、前述したように保留されていた局線回路ＣＯＴ−１の保留状態が解除され、局線ＣＯ−１とボタン電話機ＫＴ−ｍの通話回路ＫＳＬが接続されて外部の相手先との転送後の局線通話を行うことができる。
【００２１】
次に局線発信動作について説明する。
ボタン電話機ＫＴ−１側で音声処理部（ＫＳＬ）５内のハンドセットを上げＫＥ部（ＫＥＹ）４内の局線ボタンが押されて局線例えばＣＯ−ｎの選択が行われると、ボタン電話機ＫＴ−１の電話機制御部ＫＰＵはこれを検出し、検出信号を送受信回路ＫＸＲ、トランスＴＫ−２および主装置ＭＥ側のトランスＴ２１、送受信回路ＸＲを介して制御部ＣＰＵに送信する。制御部ＣＰＵはこれに応答して、局線回路ＣＯＴ−ｎにループを形成させ、次いで局線ＣＯ−ｎを局線回路ＣＯＴ−ｎ、通話路ネットワークＳＷおよびトランスＴ−１１、トランスＴＫ−１を介して発信操作をしたボタン電話機ＫＴ−１の音声処理部ＫＳＬの通話回路に接続する。このようにして局線ＣＯ−ｎとボタン電話機ＫＴ−１間の通話路が形成される。なお、ボタン電話機ＫＴ−１側のキーボード部ＫＥＹが操作され、発信対応の局線ボタンが押され、ハンドセツトが上げられると、発信局線ＣＯ−ｎに対応するＬＥＤ表示部の発光ダイオードＬＥＤが点灯する。続いて、ボタン電話機ＫＴ−１からダイヤル操作が行われると、主装置ＭＥの制御部ＣＰＵはダイヤル情報を受信し、主装置ＭＥ内のＲＡＭに設定されているボタン電話機ＫＴ−１に対応するデータをアクセスする。このアクセスにより、最初にサービスクラスのデータが読み出され、ダイヤル情報がサービスクラスの要件（市外発信クラス、市内発信クラス、国際発信クラスなど）を満たしているかどうかの確認が行われる。サービスクラスの要件が満たされていると、制御部ＣＰＵは、次に受信したダイヤルデータを局線回路ＣＯＴ−ｎへ送出する。局線回路ＣＯＴ−ｎはループを介して局線ＣＯ−ｎへそのダイヤル情報を送出する。社外の相手方が応答すれば、前述した局線応答通話動作と同様にして通話を行うことができる。
【００２２】
次に、主装置ＭＥとボタン電話機ＫＴ間のデータ送受信系について述べる。
図２は、主装置ＭＥとボタン電話機ＫＴ間の１フレームの伝送フォーマットを示す。主装置ＭＥの送受信回路ＸＲとボタン電話機ＫＴの送受信回路ＫＸＲとの間では、図２に示されているように、まず主装置ＭＥよりボタン電話機ＫＴへ、ＬＥＤ表示情報（ＬＥＤ情報）、ディスプレイ情報（ＤＩＰ情報）、通話路情報が順次それぞれ数十バイトで送信される。次にモードが切り替えられて、ボタン電話機ＫＴより主装置ＭＥへ、キーボードＫＥＹ情報（ＫＥＹ情報）が数十バイトで送信される。その後再びモードが切り替えられ、以降順次繰り返されてデータ伝送される。これらの情報は、状態の変化が発生したときに有効なデータとなり、変化がないときは無効なデータが送信される。制御部ＣＰＵ，電話機制御部ＫＰＵは、有効なデータが受信されると制御を開始する。この情報伝送は、例えば１ビット１ｍ秒で１フレーム９６秒の周期で繰り返し行われるように形成される。主装置ＭＥからボタン電話機ＫＴへの情報伝送は、６０ビツト６０ｍ秒、ボタン電話機ＫＴから主装置ＭＥへの情報伝送は、３０ビツト３０ｍ秒の周期で伝送され、それぞれ３ビツト３ｍ秒でモード切り替えが行われるように形成されている。
【００２３】
次に、以上述べたようなボタン電話装置には、発信時や着信時に使用回線の状態を視覚的に区別するために、表示器である発光ダイオードＬＥＤを備えたＬＥＤ表示部が必ず設けられていることは前述したとおりである。従って、発信時や着信時等にこの発光ダイオードＬＥＤを点灯させるための駆動方法が重要となってくる。本発明は、電話機制御部ＫＰＵに用いるマイクロコンピュータ（ＣＰＵ）を、汎用入出力ポートＩ／Ｏの少ない安価なＬＳＩ製品で構成し、かつ機種間で共通化して使用することが困難であるという従来の問題点に鑑み、それらの欠点を除去したＬＥＤ駆動手段を提供するものである。
【００２４】
【実施例】
図３は、本発明の一実施例を示すＬＥＤ駆動方式である。図５，図６と同一番号または符号は同一物を示す。
１はマイクロコンピュータ（ＣＰＵ）で構成される電話機制御部ＫＰＵで、汎用入出力ポートＩ／Ｏ＃１乃至＃７およびＩ／Ｏ＃Ａ乃至＃Ｈを備えており、例えば日立製「Ｈ８シリーズ」、富士通製「ＦＢ７５シリーズ」等を用いることができる。２は汎用入出力ポートＩ／Ｏ＃１乃至＃７に接続されて着信表示や機能表示等を行うＬＥＤ表示部で、電話機制御部ＫＰＵの汎用入出力ポートＩ／Ｏの＃１乃至＃７側にその入力側が接続された汎用ゲート（ＩＣ）２ａ，２ｂ，２ｃと、該汎用ゲート（ＩＣ）２ａ，２ｂ，２ｃの出力側にそのベースがそれぞれ接続されるとともに、エミツタが接地されたＱ１乃至Ｑ１２からなるＮＰＮ形の制御トランジスタと、制御トランジスタＱ１乃至Ｑ１２のコレクタと電源（＋５Ｖ）間にそれぞれ接続されたＬＥＤ１乃至ＬＥＤ１２からなる発光ダイオードＬＥＤとを含んで構成される。なお、汎用ゲート（ＩＣ）２ａ，２ｂ，２ｃには、例えば「７４ＨＣ３７３」等のＩＣを用いることができる。３は汎用入出力ポートＩ／Ｏ＃Ａ，Ｂに接続されて時刻／番号表示や文字等をＬＣＤに表示するディスプレイ表示部ＤＩＰ、４は汎用入出力ポートＩ／Ｏ＃Ｃ乃至＃Ｆに接続されダイヤル、局線ボタン、機能ボタン等を収容配置するキーボード部ＫＥＹ、５は汎用入出力ポートＩ／Ｏ＃Ｇ，Ｈに接続され、通話回路を含みハンドセツト、スピーカ、マイクを管轄する音声処理部ＫＳＬである。
【００２５】
次に、従来の図５、図６と異なる電話機制御部（ＫＰＵ）１とＬＥＤ表示部２の一実施例について、図３の接続構成を説明する。
電話機制御部（ＫＰＵ）１の汎用入出力ポートＩ／Ｏ＃１，＃２，＃３，＃４とＬＥＤ表示部２の制御トランジスタＱ１，Ｑ２，Ｑ３，Ｑ４の各ベース間には、汎用ゲート（ＩＣ）２ａが挿入されている。汎用ゲート（ＩＣ）２ａは、制御トランジスタＱ１乃至Ｑ４のオン、オフを制御する。
【００２６】
次に図示のように、電話機制御部ＫＰＵ１の汎用入出力ポートＩ／Ｏ＃１，＃２，＃３，＃４とＬＥＤ表示部２の制御トランジスタＱ４，Ｑ５，Ｑ６，Ｑ７，Ｑ８の各ベース間には、汎用ゲート（ＩＣ）２ｂが挿入されている。すなわち、汎用ゲート（ＩＣ）２ｂは、制御トランジスタＱ５乃至Ｑ８のオン、オフを制御する。
【００２７】
更に電話機制御部ＫＰＵ１の汎用入出力ポートＩ／Ｏ＃１，＃２，＃３，＃４とＬＥＤ表示部２の制御トランジスタＱ９，Ｑ１０，Ｑ１１，Ｑ１２の各ベース間には、汎用ゲート（ＩＣ）２ｃが挿入されている。すなわち、汎用ゲート（ＩＣ）２ｃは、制御トランジスタＱ９乃至Ｑ１２のオン、オフを制御する。
【００２８】
このように、汎用入出力ポートＩ／Ｏ＃１乃至＃４に対して、汎用ゲート（ＩＣ）２ａ，２ｂ，２ｃの入力側はそれぞれ接続されていて、汎用入出力ポートＩ／Ｏ＃１乃至＃４は、汎用ゲートＩＣを介してＬＥＤ表示部２の発光ダイオードＬＥＤ１乃至１２の点灯、消灯をそれぞれ制御する機能を有している。
【００２９】
一方、主装置ＭＥで局線回路ＣＯＴ−１、局線回路ＣＯＴ−５および局線回路ＣＯＴ−９で着信情報を検出した場合に、電話機制御部（ＫＰＵ）１では、主装置から送られてくるその着信した局線番号を示す局線選択情報を入力端子Ｉ／Ｏ＃Ｋを介して取り込んで、汎用入出力ポートＩ／Ｏ＃１からＬＥＤ表示部２の汎用ゲート（ＩＣ）２ａ乃至２ｃに対するオン情報を出力する。同様に、局線回路ＣＯＴ−２、局線回路ＣＯＴ−６および局線回路ＣＯＴ−１０で着信情報を検出した場合に、送られてくるその情報を取り込んで、汎用入出力ポートＩ／Ｏ＃２からＬＥＤ表示部２の汎用ゲート（ＩＣ）２ａ乃至２ｃに対するオン情報を出力する。同じく、局線回路ＣＯＴ−３，局線回路ＣＯＴ−７および局線回路ＣＯＴ−１１で着信情報を検出した場合に、送られてくるその情報を取り込んで、汎用入出力ポートＩ／Ｏ＃３からＬＥＤ表示部２の汎用ゲート（ＩＣ）２ａ乃至２ｃに対するオン情報を出力する。局線回路ＣＯＴ−４，局線回路ＣＯＴ−８および局線回路ＣＯＴ−１２で着信情報を検出した場合に、送られてくるその情報を取り込んで、汎用入出力ポートＩ／Ｏ＃４からＬＥＤ表示部２の汎用ゲート（ＩＣ）２ａ乃至２ｃに対するオン情報を出力するように接続形成されている。
【００３０】
また、電話機制御部（ＫＰＵ）１の汎用入出力ポートＩ／Ｏ＃５乃至＃７は、ＬＥＤ表示部２の汎用ゲート（ＩＣ）２ａ乃至２ｃのいずれを選択するかの選択制御を司り、汎用入出力ポートＩ／Ｏ＃５は汎用ゲート（ＩＣ）２ａの制御端に接続され、汎用入出力ポートＩ／Ｏ＃６は汎用ゲート（ＩＣ）２ｂの制御端に接続され、汎用入出力ポートＩ／Ｏ＃７は汎用ゲート（ＩＣ）２ｃの制御端に接続されている。
【００３１】
一方、電話機制御部（ＫＰＵ）１では、局線回路ＣＯＴ−１乃至局線回路ＣＯＴ−４で着信情報を検出した場合に、送られてくるその情報を取り込んで、汎用入出力ポートＩ／Ｏ＃５からＬＥＤ表示部２の汎用ゲート（ＩＣ）２ａに対するオン情報を出力する。同様に、局線回路ＣＯＴ−５乃至局線回路ＣＯＴ−８で着信情報を検出した場合に、送られてくるその情報を取り込んで、汎用入出力ポートＩ／Ｏ＃６からＬＥＤ表示部２の汎用ゲート（ＩＣ）２ｂを選択する選択情報を出力する。同じく、局線回路ＣＯＴ−９乃至局線回路ＣＯＴ−１２で着信情報を検出した場合に、送られてくるその情報を取り込んで、汎用入出力ポートＩ／Ｏ＃７からＬＥＤ表示部２の汎用ゲート（ＩＣ）２ｃを選択する選択情報を出力するように接続形成されている。
【００３２】
このように汎用入出力ポートＩ／Ｏ＃１乃至＃７を発光ダイオードＬＥＤの点灯、消灯制御機能用の出力ポート＃１乃至＃４と汎用ゲートＩＣ選択制御機能用の出力ポート＃５乃至＃７の２つのグループに区分し、各グループから選択される出力を組み合わせることにより、入出力ポートの数が少ない安価なマイクロコンピュータ（ＣＰＵ）を用いて、数多くの発光ダイオードＬＥＤを点灯することができるように構成されている。
【００３３】
電話機制御部（１）における入力端Ｉ／Ｏ＃Ｅ，入力端Ｉ／Ｏ＃Ｋへの選択情報から出力端Ｉ／Ｏ＃１，Ｉ／Ｏ＃２，Ｉ／Ｏ＃３，Ｉ／Ｏ＃４，Ｉ／Ｏ＃５，Ｉ／Ｏ＃６，Ｉ／Ｏ＃７，の出力への対応変換は、例えば表１に示すような変換テーブルを用いて行うことができる。この場合に、選択情報は局線番号である。
【００３４】
【表１】
0004807764.tif 000002
【００３５】
次に、本発明のこのようなＬＥＤ駆動回路構成について、局線着信があったときの回路動作を図１，図２，図３に基づいて説明する。
【００３６】
いま収容されている局線ＣＯ−１に外部から着信信号が到来すると、その着信信号は主装置ＭＥの局線回路ＣＯＴ−１に入力され、その着信検出回路ＩＮＣ−１（図示しない）が着信情報を検出し、その信号情報は主装置ＭＥ内の制御部ＣＰＵに取り込まれ、そこで鳴音情報，図２に示すような表示情報（ＬＥＤ情報  ），通話路情報等を含むシステムデータとして構成されて各ボタン電話機ＫＴに伝送される。そのデータは各ボタン電話機ＫＴに設けられている電話機制御部ＫＰＵ１に取り込まれ、局線回路ＣＯＴ−１に対応する汎用入出力ポートＩ／Ｏ＃１にＬＥＤ制御信号Ｓ１が出力される。同時に汎用入出力ポートＩ／Ｏ＃５に汎用ゲートＩＣ制御信号Ｓ５も出力されるので、これにより汎用ゲート（ＩＣ）２ａが選択され、従って制御トランジスタＱ１がオンし、発光ダイオードＬＥＤ１が点灯して局線ＣＯ−１に着信があったことを表示し、使用者に知らしめる。
【００３７】
同様にして収容されている局線ＣＯ−１２に外部から着信があると、その着信信号は主装置ＭＥの局線回路ＣＯＴ−１２を介して制御部ＣＰＵに取り込まれ、そこで表示情報（ＬＥＤ情報）等を含むシステムデータとして構成されて各ボタン電話機ＫＴに伝送される。そのデータは各ボタン電話機に設けられている電話機制御部ＫＰＵ１に取り込まれ、局線回路ＣＯＴ−１２に対応する汎用入出力ポートＩ／Ｏ＃４にＬＥＤ制御信号Ｓ４を出力する。同時に汎用入出力ポートＩ／Ｏ＃７に汎用ゲートＩＣ制御信号Ｓ７も出力されるので、これにより汎用ゲート（ＩＣ）２ｃがオンとなり、従って制御トランジスタＱ１２がオンし、発光ダイオードＬＥＤ１２が点灯して局線ＣＯ−１２に着信があったことを表示することができる。
【００３８】
図４は、図３の動作による発光ダイオードＬＥＤのダイナミック点灯状況を表すタイミングチャートである。電話機制御部ＫＰＵ１の汎用入出力ポートＩ／Ｏ＃５に汎用ゲートＩＣ制御信号Ｓ５が出力された状態で、汎用入出力ポートＩ／Ｏ＃１乃至＃４にＬＥＤ制御信号Ｓ１乃至Ｓ４がそれぞれ出力された場合に発光ダイオードＬＥＤ１乃至４がそれぞれ点灯することを表している。また、汎用入出力ポートＩ／Ｏ＃６に汎用ゲートＩＣ制御信号Ｓ６が出力された状態で、汎用入出力ポートＩ／Ｏ＃１乃至＃４にＬＥＤ制御信号Ｓ１乃至Ｓ４がそれぞれ出力された場合に発光ダイオードＬＥＤ５乃至８がそれぞれ点灯することを表しており、同様に汎用入出力ポートＩ／Ｏ＃７に汎用ゲートＩＣ制御信号Ｓ７が出力された状態で、汎用入出力ポートＩ／Ｏ＃１乃至＃４にＬＥＤ制御信号Ｓ１乃至Ｓ４がそれぞれ出力された場合に発光ダイオードＬＥＤ９乃至１２がそれぞれ点灯することを表している。
【００３９】
このような本発明における一実施例の発光ダイオードＬＥＤ駆動方式によれば、電話機制御回路ＫＰＵの汎用入出力ポートＩ／Ｏが７ポートであるにも拘わらず、点灯できる発光ダイオードＬＥＤの数が従来最大７個であったものを、本発明では一度に１２個まで効率的に増やすことができるので、ボタン電話装置における収容局線数が２回線から１２回線の機種のボタン電話機ＫＴまでカバーすることができるという利点を有する。更に収容局線数の多い大型機種間においても、本発明による主旨は充分生かすことができる。
【００４０】
なお、本発明はいままで一例として説明したボタン電話装置に収容接続されるボタン電話機のＬＥＤ表示部に有効であるばかりでなく、ＰＢＸに用いられる専用多機能電話機のＬＥＤ表示部に用いても同様な効果が得られることはいうまでもない。
【００４１】
また、いままでの説明では局線着信の際のＬＥＤ表示の場合について述べてきたが、局線発信の場合に主装置（ＭＥ）からの局線着信信号の代わりにＫＥＹ部４の局線ボタンの押し下げにより入力端Ｉ／Ｏ＃Ｅに入力される選択情報に従って、同様のＬＥＤ点灯制御が可能である。また、保留転送時のＬＥＤ表示、内線発着信のＬＥＤ表示の場合の駆動方式として当然利用することができるものであり、いままでの実施例に特定されるものではない。
【００４２】
以上から明らかなように、本発明による機能電話機におけるＬＥＤ駆動方式は、図３の実施例について示せば、ボタン電話装置およびＰＢＸ等を含む電話装置に収容接続される電話機制御部と発光ダイオードを用いた表示部とを備えた機能電話機であって、
該表示部（２）は、各々が複数ｍ（実施例では４）の入力端と複数ｍの出力端とを有する複数ｎ（実施例では３）のゲートＩＣ回路と、該複数ｎのゲートＩＣ回路の各出力側の前記複数ｍの出力端のうちの所望の出力端に各制御入力側がそれぞれ接続された複数の制御スイッチ手段（Ｑ１，Ｑ２，Ｑ３，Ｑ４；Ｑ５，Ｑ６，Ｑ７，Ｑ８；Ｑ９，Ｑ１０，Ｑ１１，Ｑ１２）と、該複数の制御スイッチ手段の各出力側と電源間にそれぞれ配設された複数の発光ダイオード（ＬＥＤ１，ＬＥＤ２，ＬＥＤ３，ＬＥＤ４；ＬＥＤ５，ＬＥＤ６，ＬＥＤ７，ＬＥＤ８；ＬＥＤ９，ＬＥＤ１０，ＬＥＤ１１，ＬＥＤ１２）とを含んで構成され、
該電話機制御部（１）は、前記表示部内の前記複数ｎのゲートＩＣ回路（２ａ，２ｂ，２ｃ）の各々における前記複数ｍの入力端にそれぞれ接続される複数ｍの第１の出力ポート（＃１，＃２，＃３，＃４）と、該複数ｎのゲートＩＣ回路の各々にそれぞれ接続される複数ｎの第２の出力ポート（＃５，＃６，＃７）と、前記複数ｍの第１の出力ポートの内の少なくとも一つと該複数ｎの第２の出力ポートの内の少なくとも一つとを選択する選択情報を受け入れるための入力端（Ｉ／Ｏ＃Ｅ；Ｉ／Ｏ＃Ｋ）とを備え、 該入力端に入力される該選択情報に対応して該複数ｍの第１の出力ポートの内の少なくとも一つに第一の制御信号（Ｓ１，Ｓ２，Ｓ３，Ｓ４）を出力し、該複数ｎの第２の出力ポートの内の少なくとも一つに第二の制御信号（Ｓ５，Ｓ６，Ｓ７）を出力するように構成され、
前記選択情報が前記電話機制御部の前記入力端に入力されたとき、
該電話機制御部（１）の前記複数ｍの第１の出力ボート（＃１，＃２，＃３，＃４）の内の少なくとも一つに前記第一の制御信号が伝達され、かつ前記複数ｎの第２の出力ボート（＃５，＃６，＃７）の内の少なくとも一つに前記第二の制御信号が伝達され、該第二の制御信号が伝達された前記第２の出力ボートに接続された前記ゲートＩＣ回路（２ａ，２ｂ，２ｃ）が作動して、該作動した当該ゲートＩＣ回路の前記複数ｍの出力側に前記伝達された第一の制御信号に対応する表示制御信号を出力して該表示制御信号が出力された前記制御入力に接続された前記制御スイッチ手段（Ｑ１，Ｑ２，Ｑ３，Ｑ４；Ｑ５，Ｑ６，Ｑ７，Ｑ８；Ｑ９，Ｑ１０，Ｑ１１，Ｑ１２）を作動せしめ、該作動された該制御スイッチ手段に接続された前記発光ダイオード（ＬＥＤ１，ＬＥＤ２，ＬＥＤ３，ＬＥＤ４；ＬＥＤ５，ＬＥＤ６，ＬＥＤ７，ＬＥＤ８；ＬＥＤ９，ＬＥＤ１０，ＬＥＤ１１，ＬＥＤ１２）が駆動されるように構成された機能電話機におけるＬＥＤ駆動方式である。
【００４３】
【発明の効果】
以上詳細に説明したように、本発明の電話装置に収容接続される機能電話機における発光ダイオードＬＥＤを点灯させるための駆動方式にあっては、電話機制御回路ＫＰＵに用いるマイクロコンピュータ（ＣＰＵ）を、汎用入出力ポートＩ／Ｏの少ない安価なＬＳＩ製品で構成し、かつ機種間で共通化して使用できるので、発光ダイオードＬＥＤの点灯駆動系全体として簡易で安価に実現できるという実務上の利点を有する。
【図面の簡単な説明】
【図１】本発明を適用するボタン電話装置の構成を示すブロツク構成図である。
【図２】本発明の図１における伝送情報フォーマットを示す図である。
【図３】本発明の具体的な一実施例を示すブロツク構成図である。
【図４】図３の実施例における発光ダイオードＬＥＤの点灯状況を表すタイミングチャートである。
【図５】従来の局線４回線用のボタン電話機におけるＬＥＤ駆動方式を示すブロツク構成図である。
【図６】図５における従来のＬＥＤ駆動方式を局線１２回線用のボタン電話機に拡張した場合におけるＬＥＤ駆動方式を示すブロツク構成図である。
【図７】図５における従来の発光ダイオードＬＥＤの点灯状況を表すタイミングチャートである。
【符号の説明】
１  電話機制御部ＫＰＵ
２  ＬＥＤ表示部
２ａ，２ｂ，２ｃ  汎用ゲートＩＣ
３  ディスプレイ表示部ＤＩＰ
４  キーボード部ＫＥＹ
５  音声処理部ＫＳＬ
Ｉ／Ｏ＃１〜＃４  電話機制御部ＫＰＵの第１の入出力ポート
Ｉ／Ｏ＃５〜＃７  電話機制御部ＫＰＵの第２の入出力ポート
Ｉ／Ｏ＃Ａ〜＃Ｈ  電話機制御部ＫＰＵの第１、第２以外の入出力ポート
Ｑ１〜Ｑ１２，Ｑ２１〜Ｑ３２  制御トランジスタ
ＬＥＤ，ＬＥＤ１〜ＬＥＤ１２，ＬＥＤ２１〜ＬＥＤ３２  発光ダイオード
ＭＥ  ボタン電話主装置
ＫＴ−１〜ＫＴ−ｍ  ボタン電話機
ＣＯ−１〜ＣＯ−ｎ  局線
ＣＯＴ−１〜ＣＯＴ−ｎ  局線回路
ＴＯＮＥ  音源回路
ＳＷ  通話路ネットワーク
ＳＷＣ  通話路制御回路
ＣＰＵ  制御部
ＲＯＭ，ＫＯＭ  読出専用メモリＲＯＭ
ＲＡＭ，ＫＡＭ  ランダムアクセスメモリ
ＸＲ，ＫＸＲ  送受信回路
Ｔ１１，Ｔ２１，Ｔ−１ｍ，Ｔ−２ｍ，ＴＫ−１，ＴＫ−２  トランス
ＰＷ，ＫＰＷ  電源回路
ＳＫ  電源スイッチ
ＬＮ−１１，ＬＮ−２１，ＬＮ−１ｍ，ＬＮ−２ｍ  ケーブル
ＨＳ  フックスイッチ
ＳＰ  スピーカ
Ｅ  電話機内基準電位
【図１】
0004807764.tif 000003
【図２】
0004807764.tif 000004
【図３】
0004807764.tif 000005
【図４】
0004807764.tif 000006
【図５】
0004807764.tif 000007
【図６】
0004807764.tif 000008
【図７】
0004807764.tif 000009